(57)【要約】  基地局は、ワイヤレスチャネルの伝送フレーム（２０２）の繰り返しの第１のシーケンス（５０１）において、第１の測位参照信号（５５１）を伝送する。基地局は、ワイヤレスチャネルの伝送フレーム（２０２）の繰り返しの第２のシーケンス（５０２）において、第２の測位参照信号（５５２）を伝送する。第１の測位参照信号（５５１）および第２の測位参照信号（５５２）は各々、ワイヤレスチャネル上で通信される信号の到着時間の決定を容易にする。【選択図】図１０
2019531468.tif 000002
【特許請求の範囲】
【請求項１】
ワイヤレスチャネル（１７０）上で通信するように構成されたインターフェース（１０１２）と、
少なくとも１つのプロセッサ（１０１１）であって、
前記ワイヤレスチャネルの伝送フレーム（２０２）の繰り返しの第１のシーケンス（２１１、５０１、５０２）において、第１の測位参照信号（１５０−１５６、５５１、５５２）を伝送すること、および
前記第１のシーケンスとは少なくとも部分的に異なる前記ワイヤレスチャネルの伝送フレームの繰り返しの第２のシーケンス（２１１、５０１、５０２）において、第２の測位参照信号（１５０−１５６、５６１、５５２）を伝送すること、を行うように構成される、少なくとも１つのプロセッサ（１０１１）と、を備え、
前記第１の測位参照信号および第２の測位参照信号が各々、前記ワイヤレスチャネル上で通信される信号の到着時間（１１１−１１６）の決定を容易にする、
基地局（１０１−１０６）。
【請求項２】
ワイヤレスチャネル（１７０）上で通信するように構成されたインターフェース（１３０２）と、
少なくとも１つのプロセッサ（１３０１）であって、
前記ワイヤレスチャネルの伝送フレーム（２０２）の繰り返しの第１のシーケンス（２１１、５０１、５０２）と前記ワイヤレスチャネルの伝送フレームの繰り返しの第２のシーケンスとの間で選択すること、
前記選択に応じて、前記第１のシーケンスにおいて第１の測位参照信号（１５０−１５６，５０１，５０２）、または前記第２のシーケンスにおいて第２の測位参照信号を選択的に受信すること、および
前記選択に応じて、前記第１の測位参照信号または前記第２の測位参照信号に選択的に基づいて前記ワイヤレスチャネル上で通信される信号の到着時間を決定すること、を行うように構成される、少なくとも１つのプロセッサ（１３０１）と、
を備える、デバイス（１３０）。
【請求項３】
前記デバイスが、前記ワイヤレスチャネル上で通信される信号の受信電力および前記インターフェースの受信帯域幅のうちの少なくとも１つに基づいて、前記第１のシーケンスと前記第２のシーケンスとの間で選択するように構成される、請求項２に記載のデバイス。
【請求項４】
前記デバイスが、前記第１の測位参照信号のうちの少なくともいくつかの組み合わせに基づいて、前記第１の測位参照信号を指示する少なくとも１つの第１の値を決定し、前記少なくとも１つの第１の値に基づいて前記到着時間を決定するように構成され、および／または、
前記デバイスが、前記第２の測位参照信号のうちの少なくともいくつかの組み合わせに基づいて、前記第２の測位参照信号を指示する少なくとも１つの第２の値を決定し、前記少なくとも１つの第２の値に基づいて前記到着時間を決定するように構成される、請求項２または３に記載のデバイス。
【請求項５】
前記第１のシーケンスの前記伝送フレーム内の前記第１の測位参照信号の時間−周波数密度が、前記第２のシーケンスの前記伝送フレーム内の前記第２の測位参照信号の時間−周波数密度とは異なる、請求項１に記載の基地局、または請求項２から４のいずれか一項に記載のデバイス。
【請求項６】
前記第１のシーケンスの前記伝送フレーム内の前記第１の測位参照信号の数が、前記第２のシーケンスの前記伝送フレーム内の前記第２の測位参照信号の数とは異なる、請求項１もしくは５に記載の基地局、または請求項２から５のいずれか一項に記載のデバイス。
【請求項７】
前記第１の測位参照信号の周波数帯域が、前記第２の測位参照信号の周波数帯域とは異なる、請求項１、５、もしくは６に記載の基地局、または請求項２から６のいずれか一項に記載のデバイス。
【請求項８】
前記第１のシーケンスの繰り返し率（２５５、２５５−１、２５５−２）が、前記第２のシーケンスの繰り返し率とは異なる、請求項１もしくは５から７のいずれか一項に記載の基地局、または請求項２から７のいずれか一項に記載のデバイス。
【請求項９】
前記第１のシーケンスおよび前記第２のシーケンスが、時間が少なくとも部分的に重複している、請求項１もしくは５から８のいずれか一項に記載の基地局、または請求項２から８のいずれか一項に記載のデバイス。
【請求項１０】
前記第１のシーケンスの長さが、前記第２のシーケンスの長さより長い、請求項１もしくは５から９のいずれか一項に記載の基地局、または請求項２から９のいずれか一項に記載のデバイス。
【請求項１１】
前記第１のシーケンスが、直交時間−周波数リソース（２２３）の第１のリソースマッピング（３０１、３０２）と関連付けられ、
前記第２のシーケンスが、直交時間−周波数リソース（２２３）の第２のリソースマッピング（３０１、３０２）と関連付けられ、
前記第１のリソースマッピングおよび前記第２のリソースマッピングが、互いと少なくとも部分的に異なる、請求項１もしくは５から１０のいずれか一項に記載の基地局、または請求項２から１０のいずれか一項に記載のデバイス。
【請求項１２】
前記第１のリソースマッピングおよび／または前記第２のリソースマッピングが、前記基地局に一意的に割り当てられる、請求項１１に記載の基地局、または請求項１１に記載のデバイス。
【請求項１３】
前記第１の測位参照信号の伝送のために割り当てられる前記第１のリソースマッピングのリソースが、前記第１のシーケンスの繰り返し（２５１、２５２）の関数として変化し、および／または、
前記第２の測位参照信号の伝送のために割り当てられる前記第２のリソースマッピングのリソースが、前記第２のシーケンスの繰り返し（２５１、２５２）の関数として変化する、請求項１１もしくは１２に記載の基地局、または請求項１１もしくは１２に記載のデバイス。
【請求項１４】
前記第１の測位参照信号が、第１のシーケンスコードに基づいて符号化され、
前記第２の測位参照信号が、第２のシーケンスコードに基づいて符号化され、
前記第１のシーケンスコードおよび前記第２のシーケンスコードが同じである、請求項１もしくは５から１３のいずれか一項に記載の基地局、または請求項２から１３のいずれか一項に記載のデバイス。
【請求項１５】
前記第１の測位参照信号が、それぞれの伝送フレームを指示し、および／または
前記第２の測位参照信号が、それぞれの伝送フレームを指示する、請求項１もしくは５から１４のいずれか一項に記載の基地局、または請求項２から１４のいずれか一項に記載のデバイス。
【請求項１６】
前記第１の測位参照信号が、前記それぞれの伝送フレームの各１つの少なくとも最後のリソース（２１５）、好ましくは少なくとも最後の２つのリソース、より好ましくは少なくとも最後の３つのリソースを占有せず、および／または
前記第２の測位参照信号が、前記それぞれの伝送フレームの各１つの少なくとも最後のリソース、好ましくは少なくとも最後の２つのリソース、より好ましくは少なくとも最後の３つのリソースを占有しない、請求項１もしくは５から１５のいずれか一項に記載の基地局、または請求項２から１５のいずれか一項に記載のデバイス。
【請求項１７】
複数の基地局のうちの少なくとも１つおよびデバイスと通信するように構成されるインターフェースと、
前記複数の基地局のうちの所与の１つおよび前記デバイスのうちの少なくとも１つに少なくとも１つの制御メッセージを通信するように構成される少なくとも１つのプロセッサであって、前記少なくとも１つの制御メッセージが、ワイヤレスチャネルの伝送フレームの繰り返しの第１のシーケンスを指示し、ここでは前記所与の基地局が第１の測位参照信号をデバイスに伝送することになり、またさらに、前記少なくとも１つの制御メッセージが、前記ワイヤレスチャネルの伝送フレームの繰り返しの第２のシーケンスを指示し、ここでは前記所与の基地局が、第２の測位参照信号を前記デバイスに伝送することになる、少なくとも１つのプロセッサと、を備え、
前記第１の測位参照信号および第２の測位参照信号が各々、前記ワイヤレスチャネル上で通信される信号の到着時間の決定を容易にする
ネットワークノード。
【請求項１８】
ワイヤレスチャネルの伝送フレームの繰り返しの第１のシーケンスにおいて、第１の測位参照信号を伝送すること、および
前記第１のシーケンスとは少なくとも部分的に異なる前記ワイヤレスチャネルの伝送フレームの繰り返しの第２のシーケンスにおいて、第２の測位参照信号を伝送することを含み、
前記第１の測位参照信号および第２の測位参照信号が各々、前記ワイヤレスチャネル上で通信される信号の到着時間の決定を容易にすること、を含む
方法。
【請求項１９】
ワイヤレスチャネルの伝送フレームの繰り返しの第１のシーケンスと前記ワイヤレスチャネルの伝送フレームの繰り返しの第２のシーケンスとの間で選択すること、
前記選択に応じて、前記第１のシーケンスにおいて第１の測位参照信号、または前記第２のシーケンスにおいて第２の測位参照信号を選択的に受信すること、および
前記第１の測位参照信号または前記第２の測位参照信号に選択的に基づいて、前記選択に応じてワイヤレスチャネル上で通信される信号の到着時間を決定すること、を含む
方法。
【請求項２０】
基地局およびデバイスのうちの少なくとも１つに少なくとも１つの制御メッセージを通信することを含む方法であって、前記少なくとも１つの制御メッセージが、ワイヤレスチャネルの伝送フレームの繰り返しの第１のシーケンスを指示し、ここでは前記基地局が、第１の測位参照信号を前記デバイスに伝送することになり、またさらに、前記少なくとも１つの制御メッセージが、前記ワイヤレスチャネルの伝送フレームの繰り返しの第２のシーケンスを指示し、ここでは前記基地局が、第２の測位参照信号を前記デバイスに伝送することになり、
前記第１の測位参照信号および第２の測位参照信号が各々、前記ワイヤレスチャネル上で通信される信号の到着時間の決定を容易にする
方法。
【発明の詳細な説明】
【技術分野】
【０００１】
様々な例は、モバイルデバイスの測位に関する。特に、様々な例は、伝送フレームを含むワイヤレスチャネルを介した測位参照信号の通信に基づいたモバイルデバイスの測位に関する。
【背景技術】
【０００２】
モバイルデバイスのための測位技術は、様々な分野の技術において応用される。時には、測位技術は、ワイヤレス通信と組み合わされる。この文脈において、具体的な技術は、観測到着時間差（ＯＴＤＯＡ）である。ここでは、ダウンリンク（ＤＬ）測位参照信号が、複数の基地局によって伝送され、モバイルデバイスによって受信される。このとき、モバイルデバイスは、時には参照信号時間差（ＲＳＴＤ）とも称される到着時間差（ＴＤＯＡ）を決定することができる。したがって、ＴＤＯＡは、目標の基地局から受信された測位参照信号と参照基地局との間の観察時間差に対応することができる。いくつかの例において、モバイルデバイスが２つ以上の基地局についてＴＤＯＡを決定する可能性があり、その際これは、１つの基地局が参照として使用されることから、典型的には３つ以上の基地局に関与する。
【０００３】
次いで、ＴＤＯＡに基づいて、モバイルデバイスについてのロケーション情報が計算され得る。ロケーション情報は、モバイルデバイスの位置を指示し得る。ロケーション情報の決定には、関与する基地局の既定のロケーションおよび／または関与する基地局間の既定の時間オフセットが考慮され得る。いくつかの例において、ロケーションサーバは、三角測量に基づいてロケーション情報を決定し得る。
ＯＴＤＯＡ技術は、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）３６．２１１  Ｖ１３．２．０（２０１６−０６）、ｃｈａｐｔｅｒ６．１０．４．、ＴＳ３６．３５５  Ｖ１３．１．０（２０１６−０３）ｃｈａｐｔｅｒ６．５．１．、ならびにＴＳ３６．４５５  Ｖ１３．１．０（２０１６−０３）ｃｈａｐｔｅｒ８．２．５に説明されている。
【０００４】
しかしながら、参照実装形態に従うそのようなＯＴＤＯＡ測位技術は、特定の欠点および制約に直面する。例えば、そのような測位技術の精度は制限され得る。例えば、測位参照信号を受信および処理するためのエネルギー消費が膨大になり得る。
【発明の概要】
【０００５】
したがって、モバイルデバイスのための高度な測位技術が必要とされている。特に、上で特定された欠点および制約のうちの少なくともいくつかを克服または軽減するそのような技術が必要とされている。
【０００６】
例によると、基地局はインターフェースを含む。インターフェースは、ワイヤレスチャネル上で通信するように構成される。基地局は、少なくとも１つのプロセッサをさらに含む。少なくとも１つのプロセッサは、第１の測位参照信号を伝送するように構成される。第１の測位参照信号は、ワイヤレスチャネルの伝送フレームの繰り返しの第１のシーケンス内で伝送される。基地局は、第２の測位参照信号を伝送するようにさらに構成される。第２の測位参照信号は、ワイヤレスチャネルの伝送フレームの繰り返しの第２のシーケンス内で伝送される。第２のシーケンスは、第１のシーケンスとは少なくとも部分的に異なる。第１の測位参照信号および第２の測位参照信号は各々、ワイヤレスチャネル上で通信される信号の到着時間の決定を容易にする。
【０００７】
例によると、デバイスは、インターフェースを含む。インターフェースは、ワイヤレスチャネル上で通信するように構成される。デバイスは、少なくとも１つのプロセッサをさらに含む。少なくとも１つのプロセッサは、ワイヤレスチャネルの伝送フレームの繰り返しの第１のシーケンスとワイヤレスチャネルの伝送フレームの繰り返しの第２のシーケンスとの間で選択するように構成される。少なくとも１つのプロセッサは、上記選択に応じて、第１のシーケンスにおいて第１の測位参照信号、または第２のシーケンスにおいて第２の測位参照信号を選択的に受信するようにさらに構成される。少なくとも１つのプロセッサは、上記選択に応じて、第１の測位参照信号または第２の測位参照信号に選択的に基づいてワイヤレスチャネル上で通信される信号の到着時間を決定するようにさらに構成される。
【０００８】
例によると、ネットワークノードは、インターフェースを含む。インターフェースは、複数の基地局およびデバイスのうちの少なくとも１つと通信するように構成される。ネットワークノードは、少なくとも１つのプロセッサをさらに含む。少なくとも１つのプロセッサは、複数の基地局のうちの所与の１つおよびデバイスのうちの少なくとも１つに制御メッセージを通信するように構成される。少なくとも１つの制御メッセージは、ワイヤレスチャネルの伝送フレームの繰り返しの第１のシーケンスを指示し、ここでは所与の基地局は、第１の測位参照信号をデバイスに伝送することになる。少なくとも１つの制御メッセージは、ワイヤレスチャネルの伝送フレームの繰り返しの第２のシーケンスをさらに指示し、ここでは所与の基地局は、第２の測位参照信号をデバイスに伝送することになる。第１の測位参照信号および第２の測位参照信号は各々、ワイヤレスチャネル上で通信される信号の到着時間の決定を促進する。
【０００９】
例によると、方法は、ワイヤレスチャネルの伝送フレームの繰り返しの第１のシーケンスにおいて第１の測位参照信号を伝送することを含む。本方法は、ワイヤレスチャネルの伝送フレームの繰り返しの第２のシーケンスにおいて第２の測位参照信号を伝送することをさらに含む。第２のシーケンスは、第１のシーケンスとは少なくとも部分的に異なる。第１の測位参照信号および第２の測位参照信号は各々、ワイヤレスチャネル上で通信される信号の到着時間の決定を容易にする。
【００１０】
例によると、コンピュータプログラム製品は、プログラムコードを含む。プログラムコードは、少なくとも１つのプロセッサによって実行され得る。少なくとも１つのプロセッサによってプログラムコードを実行することにより、少なくとも１つのプロセッサに方法を実施させる。本方法は、ワイヤレスチャネルの伝送フレームの繰り返しの第１のシーケンスにおいて第１の測位参照信号を伝送することを含む。本方法は、ワイヤレスチャネルの伝送フレームの繰り返しの第２のシーケンスにおいて第２の測位参照信号を伝送することをさらに含む。第２のシーケンスは、第１のシーケンスとは少なくとも部分的に異なる。第１の測位参照信号および第２の測位参照信号は各々、ワイヤレスチャネル上で通信される信号の到着時間の決定を容易にする。
【００１１】
例によると、コンピュータプログラムは、プログラムコードを含む。プログラムコードは、少なくとも１つのプロセッサによって実行され得る。少なくとも１つのプロセッサによってプログラムコードを実行することにより、少なくとも１つのプロセッサに方法を実施させる。本方法は、ワイヤレスチャネルの伝送フレームの繰り返しの第１のシーケンスにおいて第１の測位参照信号を伝送することを含む。本方法は、ワイヤレスチャネルの伝送フレームの繰り返しの第２のシーケンスにおいて第２の測位参照信号を伝送することをさらに含む。第２のシーケンスは、第１のシーケンスとは少なくとも部分的に異なる。第１の測位参照信号および第２の測位参照信号は各々、ワイヤレスチャネル上で通信される信号の到着時間の決定を容易にする。
【００１２】
例によると、方法は、ワイヤレスチャネルの伝送フレームの繰り返しの第１のシーケンスとワイヤレスチャネルの伝送フレームの繰り返しの第２のシーケンスとの間で選択することを含む。本方法は、上記選択に応じて、第１のシーケンスにおいて第１の測位参照信号、または第２のシーケンスにおいて第２の測位参照信号を選択的に受信することをさらに含む。本方法は、上記選択に応じて、ワイヤレスチャネル上で通信される信号の到着時間を決定することをさらに含む。上記決定は、第１の測位参照信号または第２の測位参照信号に選択的に基づく。
【００１３】
例によると、コンピュータプログラム製品は、プログラムコードを含む。プログラムコードは、少なくとも１つのプロセッサによって実行され得る。少なくとも１つのプロセッサによってプログラムコードを実行することにより、少なくとも１つのプロセッサに方法を実施させる。本方法は、ワイヤレスチャネルの伝送フレームの繰り返しの第１のシーケンスとワイヤレスチャネルの伝送フレームの繰り返しの第２のシーケンスとの間で選択することを含む。本方法は、上記選択に応じて、第１のシーケンスにおいて第１の測位参照信号、または第２のシーケンスにおいて第２の測位参照信号を選択的に受信することをさらに含む。本方法は、上記選択に応じて、ワイヤレスチャネル上で通信される信号の到着時間を決定することをさらに含む。上記決定は、第１の測位参照信号または第２の測位参照信号に選択的に基づく。
【００１４】
例によると、コンピュータプログラムは、プログラムコードを含む。プログラムコードは、少なくとも１つのプロセッサによって実行され得る。少なくとも１つのプロセッサによってプログラムコードを実行することにより、少なくとも１つのプロセッサに方法を実施させる。本方法は、ワイヤレスチャネルの伝送フレームの繰り返しの第１のシーケンスとワイヤレスチャネルの伝送フレームの繰り返しの第２のシーケンスとの間で選択することを含む。本方法は、上記選択に応じて、第１のシーケンスにおいて第１の測位参照信号、または第２のシーケンスにおいて第２の測位参照信号を選択的に受信することをさらに含む。本方法は、上記選択に応じて、ワイヤレスチャネル上で通信される信号の到着時間を決定することをさらに含む。上記決定は、第１の測位参照信号または第２の測位参照信号に選択的に基づく。
【００１５】
例によると、方法は、基地局およびデバイスのうちの少なくとも１つに少なくとも１つの制御メッセージを通信することを含む。少なくとも１つの制御メッセージは、ワイヤレスチャネルの伝送フレームの繰り返しの第１のシーケンスを指示し、ここでは基地局は、第１の測位参照信号をデバイスに伝送することになる。少なくとも１つの制御メッセージは、ワイヤレスチャネルの伝送フレームの繰り返しの第２のシーケンスをさらに指示し、ここでは基地局は、第２の測位参照信号をデバイスに伝送することになる。第１の測位参照信号および第２の測位参照信号は各々、ワイヤレスチャネル上で通信される信号の到着時間の決定を容易にする。
【００１６】
例によると、コンピュータプログラム製品は、プログラムコードを含む。プログラムコードは、少なくとも１つのプロセッサによって実行され得る。少なくとも１つのプロセッサによってプログラムコードを実行することにより、少なくとも１つのプロセッサに方法を実施させる。本方法は、基地局およびデバイスのうちの少なくとも１つに少なくとも１つの制御メッセージを通信することを含む。少なくとも１つの制御メッセージは、ワイヤレスチャネルの伝送フレームの繰り返しの第１のシーケンスを指示し、ここでは基地局は、第１の測位参照信号をデバイスに伝送することになる。少なくとも１つの制御メッセージは、ワイヤレスチャネルの伝送フレームの繰り返しの第２のシーケンスをさらに指示し、ここでは基地局は、第２の測位参照信号をデバイスに伝送することになる。第１の測位参照信号および第２の測位参照信号は各々、ワイヤレスチャネル上で通信される信号の到着時間の決定を容易にする。
【００１７】
例によると、コンピュータプログラムは、プログラムコードを含む。プログラムコードは、少なくとも１つのプロセッサによって実行され得る。少なくとも１つのプロセッサによってプログラムコードを実行することにより、少なくとも１つのプロセッサに方法を実施させる。本方法は、基地局およびデバイスのうちの少なくとも１つに少なくとも１つの制御メッセージを通信することを含む。少なくとも１つの制御メッセージは、ワイヤレスチャネルの伝送フレームの繰り返しの第１のシーケンスを指示し、ここでは基地局は、第１の測位参照信号をデバイスに伝送することになる。少なくとも１つの制御メッセージは、ワイヤレスチャネルの伝送フレームの繰り返しの第２のシーケンスをさらに指示し、ここでは基地局は、第２の測位参照信号をデバイスに伝送することになる。第１の測位参照信号および第２の測位参照信号は各々、ワイヤレスチャネル上で通信される信号の到着時間決定を容易にする。
【００１８】
上に述べられる特徴および以下にさらに説明されるものは、示されるそれぞれの組み合わせに使用され得るだけでなく、本発明の範囲から逸脱することなく、他の組み合わせで、または分離して使用され得ることを理解されたい。
【図面の簡単な説明】
【００１９】
【図１】様々な実施形態に従う、セルラネットワークの複数の基地局からモバイルデバイスへのＤＬ測位参照信号の通信を概略的に例証する図である。
【図２】様々な実施形態に従う、ＤＬ測位参照信号の伝送のために割り当てられた複数のリソースを含むワイヤレスチャネルのサブフレームのリソースマッピングを概略的に例証する図である。
【図３】様々な実施形態に従う、ＤＬ測位参照信号の伝送のために割り当てられた複数のリソースを含むワイヤレスチャネルのサブフレームのシーケンスであって、タイミングスケジュールに従って繰り返される、シーケンスを概略的に例証する図である。
【図４】様々な実施形態に従う、モバイルデバイスの測位のために構成されたセルラネットワークのアーキテクチャを概略的に例証する図である。
【図５】様々な実施形態に従う、セルラネットワークのサーバネットワークノードを概略的に例証する図である。
【図６】様々な実施形態に従う、セルラネットワークの基地局を概略的に例証する図である。
【図７】様々な実施形態に従う、セルラネットワークのモバイルデバイスを概略的に例証する図である。
【図８】様々な実施形態に従う方法のフローチャートである。
【図９】様々な実施形態に従う、到着時間差を決定することを概略的に例証する図である。
【図１０】様々な実施形態に従う、ＤＬ測位参照信号の伝送のために割り当てられる複数のリソースを含むワイヤレスチャネルのサブフレームのシーケンスであって、タイミングスケジュールに従って繰り返される、シーケンスを概略的に例証する図である。
【図１１】様々な実施形態に従う、ＤＬ測位参照信号の伝送のために割り当てられる複数のリソースを含むワイヤレスチャネルのサブフレームのリソースマッピングを概略的に例証する図である。
【図１２】様々な実施形態に従う、ＤＬ測位参照信号の伝送のために割り当てられる複数のリソースを含むワイヤレスチャネルのサブフレームのシーケンスであって、タイミングスケジュールに従って繰り返される、シーケンスを概略的に例証する図である。
【図１３】様々な実施形態に従う、ＤＬ測位参照信号の伝送のために割り当てられる複数のリソースを含むワイヤレスチャネルのサブフレームのリソースマッピングを概略的に例証する図である。
【図１４】様々な実施形態に従う、ＤＬ測位参照信号の伝送のために割り当てられる複数のリソースを含むワイヤレスチャネルのサブフレームのリソースマッピングを概略的に例証する図である。
【図１５】様々な実施形態に従う、ＤＬ測位参照信号の伝送のために割り当てられる複数のリソースを含むワイヤレスチャネルのサブフレームのリソースマッピングを概略的に例証する図である。
【図１６】伝送と受信との間の到着時間差を概略的に例証する図である。
【図１７】様々な実施形態に従う、ＤＬ測位参照信号の伝送のために割り当てられる複数のリソースを含むワイヤレスチャネルのサブフレームのリソースマッピングを概略的に例証する図である。
【図１８】様々な実施形態に従う方法のフローチャートである。
【図１９】様々な実施形態に従う方法のフローチャートである。
【図２０】様々な実施形態に従う方法のフローチャートである。
【発明を実施するための形態】
【００２０】
以下において、本発明の実施形態が、添付の図面を参照して詳細に説明される。実施形態の以下の説明は限定の意味にとられるべきではないことを理解されたい。本発明の範囲は、以後説明される実施形態によって、または図面によって、制限されることは意図されず、これらは単に例証的であるととられるべきである。
【００２１】
図面は、概略的表示であると見なされるべきであり、図面に例証される要素は、必ずしも縮尺通りに示されない。むしろ、様々な要素は、それらの機能および一般目的が当業者には明白であるように表される。図面に示される、または本明細書に説明される、機能的なブロック、デバイス、コンポーネント、または他の物理的もしくは機能的なユニットはまた、間接的な接続または結合によって実装されてもよい。コンポーネント同士の結合はまた、ワイヤレス接続によって確立されてもよい。機能的なブロックは、ハードウェア、ソフトウェア、またはそれらの組み合わせで実装されてもよい。
【００２２】
以後、モバイルデバイスのための測位技術が説明される。測位技術は、測位参照信号の通信に依存する。いくつかの例において、ＤＬ測位参照信号は、１つまたは複数の基地局（ＢＳ）によって伝送され、モバイルデバイスによって受信される。以後、様々な例はＤＬ測位参照信号の文脈において主に説明されるが、概して、そのような技術は、アップリンク（ＵＬ）測位参照信号にも適用され得る。
【００２３】
測位技術は、概して、時間と共にモバイルデバイスの位置を追跡することができる。これのために、モバイルデバイスの位置を指示するロケーションデータが決定され得る。モバイルデバイスのロケーションデータに基づいて、位置依存サービスが実装され得る。例は、ｇｅｏメッセージング、ｇｅｏ追跡などを含む。
【００２４】
いくつかの例において、本明細書に説明される測位技術は、モノのインターネット（ＩｏＴ）フレームワークにおいて適用され得る。例えば、これは、３ＧＰＰ  Ｅｎｈａｎｃｅｄ  Ｍａｃｈｉｎｅ−ｔｙｐｅ  Ｃｏｍｍｕｎｉｃａｔｉｏｎ（ｅＭＴＣ）、または３ＧＰＰ  Ｎａｒｒｏｗｂａｎｄ  Ｉｎｔｅｒｎｅｔ  ｏｆ  Ｔｈｉｎｇｓ（ＮＢ−ＩｏＴ）テクノロジーに対応する。これらの例は、３ＧＰＰ  ＲＰ−１６１３２１「Ｎｅｗ  ｗｏｒｋ  ｉｔｅｍ  ｐｒｏｐｏｓａｌ  ｏｎ  ｆｕｒｔｈｅｒ  ｅｎｈａｎｃｅｄ  ＭＴＣ」、Ｅｒｉｃｓｓｏｎ、ＲＡＮ＃７２、およびＲＰ−１６１３２４「Ｎｅｗ  ｗｏｒｋ  ｉｔｅｍ  ｐｒｏｐｏｓａｌ：ｅｎｈａｎｃｅｍｅｎｔｓ  ｏｆ  ＮＢ−ＩＯＴ」、Ｖｏｄａｆｏｎｅ、Ｈｕａｗｅｉ、ＨｉＳｉｌｉｃｏｎ、Ｅｒｉｃｓｓｏｎ、Ｑｕａｌｃｏｍｍ、ＲＡＮ＃７２にそれぞれ説明されている。ＩｏＴフレームワークにおけるそのような技術は、典型的には、電力効率が良く、例えば内側の地下など、拡張されたカバレッジ内で動作することができる低費用のモバイルデバイスを作成することを目標とする。
【００２５】
図１は、様々な例に従う測位技術に関する態様を例証する。特に、図１は、ＤＬ測位参照信号１５０の通信に依存する測位技術に関する態様を例証する。
【００２６】
図１は、いくつかの実装形態例に従うセルラネットワーク１００のアーキテクチャを例証する。特に、図１の例に従うセルラネットワーク１００は、３ＧＰＰ  ＬＴＥアーキテクチャを実装する。３ＧＰＰ  ＬＴＥに従って、ワイヤレスチャネルは、発展型ＵＭＴＳ地上無線アクセス（ＥＵＴＲＡＮ）に従って規定される。３ＧＰＰ  ＬＴＥフレームワークにおけるそのような例証は、例示の目的のためだけのものである。同様の技術は、汎欧州デジタル移動電話方式（ＧＳＭ）、広帯域符号分割多元接続（ＷＣＤＭＡ）、汎用パケット無線サービス（ＧＰＲＳ）、ＧＳＭ進化型高速データレート（ＥＤＧＥ）、拡張ＧＰＲＳ（ＥＧＰＲＳ）、ユニバーサル移動体通信システム（ＵＭＴＳ）、および高速パケットアクセス（ＨＳＰＡ）などの様々な種類の３ＧＰＰ指定のアーキテクチャ、ならびに関連セルラネットワークの対応するアーキテクチャに容易に適用され得る。特に、そのような技術は、３ＧＰＰ  ＮＢ−ＩｏＴまたはｅＭＴＣシステム、および３ＧＰＰ  Ｎｅｗ  Ｒａｄｉｏ（ＮＲ）測位において適用され得る。さらには、それぞれの技術は、ブルートゥース、衛星通信、ＩＥＥＥ８０２．１１ｘ  Ｗｉ−Ｆｉテクノロジーなど、様々な種類の非３ＧＰＰ指定のアーキテクチャに容易に適用され得る。
【００２７】
図１において、モバイルデバイス１３０（図１ではＵＥとラベル付けされる）は、複数のＢＳ１０１−１０３の各１つによって伝送されるＤＬ測位参照信号１５０を受信することができる。３ＧＰＰ  ＬＴＥアーキテクチャにおいて、ＢＳ１０１−１０３は、発展型ノードＢ（ｅＮＢ）として実装される。異なるＢＳ１０１−１０３によって伝送される測位参照信号１５０は、例えば、時間領域、周波数領域、および／またはコード領域において、互いに対して直交であり得る。これが干渉を軽減する。
【００２８】
モバイルデバイス１３０の測位を促進するために、モバイルデバイス１３０は、典型的には、ＢＳ１０１−１０３のうちの１つまたは複数と時間同期される。例えば、ＢＳ１０１−１０３は、互いと時間同期され得、供給ＢＳ１０１−１０３は、モバイルデバイス１３０と時間同期され得る。任意選択的に、ＢＳ１０１−１０３はまた、互いに対して時間同期され得る。
【００２９】
モバイルデバイス１３０は、以下のうちの１つ：スマートフォン、セルラフォン、テーブル、ノートブック、コンピュータ、スマートＴＶ、ＭＴＣデバイス、ｅＭＴＣデバイス、ＩｏＴデバイス、ＮＢ−ＩｏＴデバイスなどであり得る。
【００３０】
図１は、モバイルデバイス１３０のロケーションを決定する精度に関する態様を例証する。典型的には、モバイルデバイス１３０のロケーションを決定する精度は、測定された測位参照信号１５０の精度に依拠する。例えば、図１において、ＢＳ１０１によって伝送されたＤＬ測位参照信号１５０の到着時間（ＴＯＡ）１１１の決定は、ΔＴ１の精度を有し、ＢＳ１０２によって伝送されたＤＬ測位参照信号１５０のＴＯＡ１１２の決定は、ΔＴ２の精度を有し、ＢＳ１０３によって伝送されたＤＬ測位参照信号１５０のＴＯＡ１１３の決定は、ΔＴ３の精度を有する。典型的には、ＴＯＡ１１１−１１３測定の精度は、測定されたＤＬ測位参照信号の質、およびＤＬ測位参照信号の帯域幅に依拠する。
【００３１】
測位参照信号は、概して、ワイヤレスチャネルを介して伝送される明確な記号に対応し得る。測位参照信号は、既定の規則に従って符号化され得る。測位参照信号は、明確な振幅および／または記号値を有し得る。測位参照信号のそのような明確な特性に基づいて、測位参照信号のＴＯＡを決定することが可能である。測位参照信号の様々な例が考えられる。例えば、いくつかの例において、測位参照信号は、特定のシーケンスコードに基づいて符号化され得る。いくつかの例において、シーケンスコードは、ワイヤレスチャネルを介した測位参照信号１５０の伝送に使用される特定のリソースの時間−周波数位置に対する依存性を有し得る。いくつかの例において、シーケンスコードは、伝送ＢＳのアイデンティティ、例えば、セル識別子（セルＩＤ）に対する依存性を有し得る。それにより、測位参照信号１５０は、それぞれのＢＳを指示し得る。いくつかの例において、シーケンスコードは、それぞれの測位参照信号１５０の伝送のために割り当てられたリソースを含む伝送フレームに対する依存性を有し得、例えば、これは、異なる伝送フレームにおいて通信される測位参照信号１５０が異なって符号化されることを結果としてもたらし得る。それにより、測位参照信号は、それぞれの伝送フレームを指示し得る。いくつかの例において、測位参照信号は、所与のモバイルデバイス１３０専用にスケジュールされ得る。異なるモバイルデバイスは、異なる測位機会において異なる測位参照信号と関連付けられ得る。
【００３２】
いくつかの例において、本明細書に説明される様々な例に従って用いられる測位参照信号は、３ＧＰＰ  ＴＳ３６．２１１  Ｖ１３．２．０（２０１６−０６），６．１０．４．１に従うシーケンスコードを用い得る。いくつかの例において、本明細書に説明される様々な例に従って用いられる測位参照信号は、３ＧＰＰ  ＴＳ３６．２１１  Ｖ１３．２．０（２０１６−０６），６．１０．１０．１に従うシーケンスコードを用い得る。いくつかの例において、本明細書に説明される様々な例に従って用いられる測位参照信号は、３ＧＰＰ  ＴＳ３６．２１１  Ｖ１３．２．０（２０１６−０６），６．１１．２．１に従うシーケンスコードを用い得る。いくつかの例において、本明細書に説明される様々な例に従って用いられる測位参照信号は、３ＧＰＰ  ＴＳ３６．２１１  Ｖ１３．２．０（２０１６−０６），６．１１．１．１に従うシーケンスコードを用い得る。
【００３３】
図２は、ワイヤレスチャネルのリソースマッピング３０１に関する態様を例証する。図２は、所与のＢＳ１０１−１０３からモバイルデバイス１３０へのＤＬ測位参照信号１５０の伝送に使用されるリソースマッピング３０１を例証する。
【００３４】
リソースマッピング３０１は、複数の時間−周波数リソース２２３を含む。様々なリソース２２３は、互いに対して直交であり得る。例において、リソース２２３は、直交周波数分割多重（ＯＦＤＭ）サブキャリアによって符号化される記号に関し得る。時には、リソース２２３は、リソース要素と称され得る。各リソース２２３は、サイクリックプレフィックスを含み得る。
【００３５】
リソースマッピング３０１は、ＤＬ測位参照信号１５０の伝送のために割り当てられるべきリソース２２３のいくつかをさらに規定する（図２では、それぞれのリソース２２３は破線で塗りつぶされて例証される）。他のリソース２２３は、ＤＬ測位参照信号１５０の伝送のために割り当てられず、そのようなリソース２２３は、制御データ、ペイロードデータ、他の参照信号の伝送のために割り当てられ得る。いくつかの例において、測位参照信号１５０の近隣のリソース２２３は干渉を軽減するためにデータを運搬しない可能性がある。例えば、他のリソース２２３は、ＤＬ測位参照信号１５０の伝送のために他のＢＳによって使用され得る。
【００３６】
測位参照信号１５０の通信に割り当てられるそれぞれのリソース２２３の位置は、サブフレーム２０２に対して規定され得る。サブフレーム２０２は、ワイヤレスチャネルの伝送フレームの特定の実装形態である。他の例において、測位参照信号１５０の通信に割り当てられるそれぞれのリソース２２３の位置は、代替的または追加的に、複数のサブフレーム２０２を含むフレームに対して、および／またはサブフレームの部分である時間スロットに対して規定され得る。実装形態例において、サブフレーム２０２の継続時間は、１ミリ秒であり得る。サブフレーム２０２は、各々が０．５ミリ秒継続時間の２つの時間スロットを含み得る。フレームは、複数のサブフレーム２０２、例えば、１０個のサブフレーム２０２を含み得る。
【００３７】
図２の例において、測位参照信号１５０の通信に割り当てられるそれぞれのリソース２２３の位置は、さらには、リソースブロック２１２に対して規定され得る。リソースブロック２１２は、複数のリソース２２３を含む。典型的には、ワイヤレスチャネルの帯域幅は、複数のリソースブロック２１２、例えば、２つのリソースブロック、１０個のリソースブロック、５０個のリソースブロック、または１００個ものリソースブロックを含む（図２では、簡略性の目的のため、単一のリソースブロック２１２のみが例証される）。
【００３８】
ＢＳ間干渉を軽減するために、測位参照信号１５０の通信に割り当てられる特定のリソース２２３がＢＳ１０１−１０３によって異なる可能性がある。したがって、異なるＢＳ１０１−１０３は、異なるリソースマッピングを用い得る（図２では、簡略性のため、単一のリソースマッピング３０１のみが示される）。１つの例において、測位参照信号１５０の伝送のために割り当てられるリソース２２３を含む各リソースマッピング１０１−１０３は、ＢＳ１０１−１０３に一意的に割り当てられ得る。例えば、測位参照信号１５０の通信のために割り当てられる特定のリソース２２３は、伝送ＢＳ１０１−１０３と関連付けられた固有のアイデンティティ、例えば、セルＩＤに依拠し得る。
【００３９】
ＢＳ間干渉をさらに低減するために、特定のＢＳ１０１−１０３は、時分割多重（ＴＤＭ）様式で測位参照信号１５０の伝送を交互にミュートするように構成され得る。したがって、そのような技術は、時分割多重および／または周波数分割多重（ＦＤＭ）を可能にする。代替的にまたは追加的に、測位参照信号を伝送する複数のＢＳ１０１−１０３間のコード分割多重（ＣＤＭ）を用いることも可能である。ここでは、スクランブリングコードが用いられ得る。
【００４０】
ＢＳ内干渉および／またはＢＳ間干渉を軽減するために、測位参照信号１５０の伝送のために割り当てられるリソース２２３を含む特定のサブフレーム２０２が保護サブフレーム２０２である可能性がある。例えば、保護サブフレーム２０２は、ペイロードデータの伝送のために割り当てられるリソース２２３を含まない場合がある。
【００４１】
ペイロードデータは、伝送プロトコルスタックの高層から生じるデータであり得る。例えば、ペイロードデータは、伝送プロトコルスタックのＯＳＩモデルに従うアプリケーション層から生じるデータであり得る。時には、ペイロードデータは、ユーザデータとも称される。
【００４２】
典型的には、各参加ＢＳ１０１−１０３からモバイルデバイス１３０へ通信される測位参照信号１５０の数が大きいほど、モバイルデバイス１３０の位置を決定するためにより高い精度が達成され得る。これが理由で、複数のリソース２２３が、サブフレーム２０２あたりに測位参照信号１５０の伝送のために割り当てられる。例えば、サブフレーム２０２内のリソース２２３の合計数に対して測位参照信号１５０の伝送のために割り当てられるリソース２２３の数は、測位参照信号１５０の時間−周波数密度を規定し得る。時間−周波数密度は、リソースブロック２１２に対して規定され得、および／またはワイヤレスチャネルのシステム帯域幅に対して規定され得る。典型的には、測位参照信号１５０の時間−周波数密度が高いほど、モバイルデバイス１３０の位置を決定するための精度が高いという結果をもたらす。
【００４３】
図２には、同時に通信された測位参照信号１５０間の周波数オフセット２８０が例証される。多くの場合、周波数オフセット２８０が小さいほど、測位参照信号１５０の時間−周波数密度が高いという結果をもたらすことになる。
【００４４】
図３は、繰り返しのタイミングスケジュール２５０に関する態様を概略的に例証する。繰り返しのタイミングスケジュール２５０は、所与のＢＳ１０１−１０３からモバイルデバイス１３０へのＤＬ測位参照信号１５０の伝送に使用される。他のＢＳ１０１−１０３は、同じまたは異なる繰り返しのタイミングスケジュール２５０を使用し得る。繰り返しのタイミングスケジュール２５０の特性は、制御シグナリング、例えば、３ＧＰＰ  ＬＴＥシステムの例においては無線リソース制御（ＲＲＣ）シグナリングおよび／または非アクセス層（ＮＡＳ）を使用するネットワーク１００によって構成され得る。代替的にまたは追加的に、タイミングスケジュール２５０の特性は、ＯＴＤＯＡパラメータを明示的および暗黙的に使用してシグナリングされ得る。例えば、３ＧＰＰ  ＴＳ３６．３５５において指定されるようなＬＴＥ測位プロトコル（ＬＰＰ）が、タイミングスケジュール２５０をシグナリングするために使用され得る。一般に、ＯＴＤＯＡパラメータおよび／またはタイミングスケジュール２５０は、ロケーションサーバなどのサーバと端末との間、および／またはサーバとＢＳ１０１−１０３との間で通信され得る。
【００４５】
繰り返しのタイミングスケジュール２５０に従って、サブフレーム２０２のシーケンス２１１は、繰り返し伝送される。シーケンス２１１は、時間領域において互いに隣接する複数のサブフレーム２０２を含む。したがって、シーケンスは連続している。シーケンス２１１のサブフレーム２０２の各１つが、少なくとも１つの測位参照信号１５０を含む（図３では、シーケンス２１１のサブフレーム２０２は、黒く塗りつぶされて例証される）。例えば、少なくとも１つの測位参照信号１５０を含まないシーケンス２１１内にはサブフレーム２０２が存在しない場合がある。
【００４６】
シーケンス２１１の各サブフレーム２０２は、測位参照信号１５０の伝送のために割り当てられている１つまたは複数のリソース２２３を含む。例えば、図３のシナリオにおいては、シーケンス２１１の４つのサブフレーム２０２の各１つが、図２に例証されるリソースマッピング３０１に従って構成され得る。
【００４７】
図３の例では、シーケンス２１１の第１の繰り返し２５１およびシーケンス２１１の第２の繰り返し２５２が例証される。３つ以上の繰り返し２５１、２５２が存在し得る。例えば、シーケンス２１１は、無限に繰り返され得る。
【００４８】
例えば、シーケンス２１１は、所与の繰り返し率で繰り返し通信され得る。いくつかの例において、繰り返し率は周期的であり得る。図３では、シーケンス２１１が繰り返される周期性２５５が例証される。
【００４９】
図２および図３では、測位参照信号１５０の伝送に使用される帯域幅２１６が例証される。図２および図３の例において、測位参照信号１５０の伝送に使用される帯域幅２１６は、ワイヤレスチャネルの全システム帯域幅に等しい。他の例において、帯域幅２１６は、全システム帯域幅よりも小さくカバーし得る。例えば、帯域幅２１６は、３ＧＰＰ  ＬＴＥ  ２０ＭＨｚシステムの参照実装形態に従ったものであり得る。故に、いくつかの例において、リソースマッピング３０１のリソース２２３は、ワイヤレスチャネルの全帯域幅またはそのサブ分画にわたって測位参照信号１５０の伝送のために割り当てられ得る。本明細書に説明される技術のいくつかの例において、測位参照信号１５０の伝送に使用される帯域幅２１６はワイヤレスチャネルの全帯域幅よりも小さい可能性がある。
【００５０】
測位参照信号１５０の伝送に使用される帯域幅２１６がワイヤレスチャネルの全帯域幅よりも小さい場合、ワイヤレスチャネルの周波数帯域内に測位参照信号１５０の周波数帯域の異なる配置を有することが可能である。いくつかの例において、測位参照信号１５０の周波数帯域は、ワイヤレスチャネルの周波数帯域内の中心にあり得る。いくつかの例において、測位参照信号１５０の周波数帯域は、ワイヤレスチャネルの周波数帯域の上縁または下縁に隣接して配置され得る。周波数帯域は、上限および下限ならびに／または中心点および周波数帯域幅によって規定され得る。
【００５１】
本明細書に説明される技術は、帯域幅２１６が制約される場合はモバイルデバイスの測位の精度が低くなる傾向があるという調査結果に基づく。例えば、３ＧＰＰ  ＬＴＥテクノロジーにおいて、記号のサンプリングレートは、ワイヤレスチャネルの帯域幅に依拠する。例えば、２０ＭＨｚのシステム帯域幅のサンプリングレートは、３０．７２ＭＨｚであり、これは、サンプリングレートが１５．３６ＭＨｚである１０ＭＨｚシステム帯域幅の帯域幅の２倍である。サンプリングレートが高いほど、典型的には、ＴＯＡのより精密な測定、故にそれぞれのＢＳ１０１−１０３とモバイルデバイス１３０との間の距離のより正確な決定を結果としてもたらす。したがって、精度は、帯域幅に依拠する。例えば、測位参照信号１５０が１．４ＭＨｚの帯域幅２１６を使用して伝送される場合、参照実装形態に従ってモバイルデバイス１３０のロケーションを決定する精度は、±１５０メートルに相当する。例えば、測位参照信号１５０が１０ＭＨｚの帯域幅２１６を使用して伝送される場合、参照実装形態に従ってモバイルデバイス１３０のロケーションを決定する精度は、±５０メートルに相当する。
【００５２】
本明細書に説明される様々な技術は、ＩｏＴアプリケーションのために設計されたワイヤレスチャネルでは、システム帯域幅−およびそれと共に、測位参照信号１５０の伝送のための帯域幅２１６−は、典型的には制限されるという調査結果に基づく。例えば、３ＧＰＰ  ＮＢ−ＩｏＴに従って、システム帯域幅は、単一のリソースブロック２１２に制限され、したがって１８０ｋＨｚに相当する。例えば、３ＧＰＰ  ｅＭＴＣに従って、システム帯域幅は、６つのリソースブロック２１２に制限され、したがって１．４ＭＨｚに相当する。本明細書に説明される様々な例は、３ＧＰＰ  ＮＢ−ＩｏＴおよび３ＧＰＰ  ｅＭＴＣなどの帯域幅制限されたワイヤレスチャネルにおいてモバイルデバイスのロケーションを決定するときの精度の増大を可能にする。
【００５３】
図４は、セルラネットワーク１００に関する態様を例証する。特に、図４は、モバイルデバイス１３０を測位するためのセルラネットワーク１００のアーキテクチャの態様を例証する。図４に例証されるように、ワイヤレスチャネル１７０は、ＢＳ１０１−１０３の各１つとモバイルデバイス１３０との間の通信を促進する。
【００５４】
図４では、サーバによって実装されるセルラネットワーク１００のネットワークノード１２０が示される。サーバ１２０は、モバイルデバイス１３０の測位に関して様々なタスクを実施し得る。
【００５５】
サーバ１２０に割り振られ得る第１のタスクは、測位参照信号１５０の通信のスケジューリングに対応し得る。ここでは、サーバ１２０は、ＢＳ１０１−１０３の各１つにおいて測位参照信号１５０の伝送のために割り当てられるリソース２２３を指定するリソースマッピングを実装し得る。したがって、異なるＢＳ１０１−１０３は、異なるリソースマッピングと関連付けられ得、したがって、異なるＢＳ１０１−１０３は、測位参照信号１５０の伝送のために異なるリソース２２３を用い得る。
【００５６】
サーバ１２０に割り振られ得る第２のタスクは、ＢＳ１０１−１０３の各１つにおいて測位参照信号１５０を含むサブフレーム２０２のシーケンス２１１の繰り返される伝送のためのタイミングスケジュールを実装することに対応し得る。異なるＢＳ１０１−１０３は、シーケンス２１１の異なる繰り返し率２５５および／または長さを含む、異なるタイミングスケジュールを使用し得る。
【００５７】
サーバ１２０に割り振られ得る第３のタスクは、モバイルデバイス１３０によって提供される測位情報に基づいてロケーション情報を決定することに対応し得る。ここでは、モバイルデバイス１３０によって提供される測位情報が、参照ＢＳ１０１−１０３から受信される測位参照信号１５０に対してＢＳ１０１−１０３の各１つから受信される測位参照信号１５０のＴＤＯＡを指示する可能性がある。次いで、サーバ１２０は、測位情報、ならびに、例えば、参照ＢＳに対して規定されるＢＳ１０１−１０３の既定の位置を考慮して、三角測量を実施することができる。三角測量に基づいて、ＢＳ１０１−１０３に対するモバイルデバイス１３０のロケーションが決定され得る。このとき、ロケーション情報は、モバイルデバイス１３０の決定された位置を指示し得る。この第３のタスクはまた、別個のロケーションサーバ（図４には図示されない）によって実行され得る。
【００５８】
図５は、サーバ１２０に関する態様を概略的に例証する。サーバ１２０は、プロセッサ１２０１、インターフェース１２０２、およびメモリ１２０３を含む。メモリ１２０３は、プロセッサ１２０１によって実行され得るプログラムコードを格納する可能性がある。プログラムコードを実行することにより、プロセッサ１２０１に、モバイルデバイス１３０の測位に関する様々なタスクを実施させることができる。そのようなタスクは、測位参照信号１５０の通信のスケジューリング、測位参照信号１５０を含むサブフレームのシーケンスの繰り返しの伝送のためのタイミングスケジュールを決定すること、ならびに、モバイルデバイス１３０によって提供されるＴＤＯＡを指示する測位情報に基づいてロケーション情報を決定することを含み得る。プロセッサ１２０１は、ＢＳ１０１−１０３と、ならびに、インターフェース１２０２を介してモバイルデバイス１３０とメッセージを交換し得る。
【００５９】
図６は、ＢＳ１０１−１０３に関する態様を概略的に例証する。ＢＳ１０１−１０３は各々が、プロセッサ１１０１、インターフェース１１０２、およびメモリ１１０３を含む。メモリ１１０３は、プロセッサ１１０１によって実行され得るプログラムコードを格納する可能性がある。プログラムコードを実行することにより、プロセッサ１１０１に、モバイルデバイス１３０の測位に関する様々なタスクを実施させることができる。そのようなタスクは、測位参照信号１５０の伝送のために割り当てられるリソース２２３を含むそれぞれのリソースマッピングに従って測位参照信号１５０を通信することを含み得る。そのようなタスクは、サブフレーム２０２のシーケンス２１１において測位参照信号１５０を通信することをさらに含み得る。サブフレーム２０２のシーケンス２１１のタイミングは、それぞれのタイミングスケジュールによって規定され得る。そのようなタスクは、特定のシーケンスコードに従った測位参照信号１５０の符号化をさらに含み得る。インターフェース１１０２は、ワイヤレスチャネル１７０を介して、ＤＬ信号を伝送し、ＵＬ信号を受信するように構成され得る。
【００６０】
図７は、モバイルデバイス１３０に関する態様を概略的に例証する。モバイルデバイス１３０は、プロセッサ１３０１、インターフェース１３０２、およびメモリ１３０３を含む。メモリ１３０３は、プロセッサ１３０１によって実行され得るプログラムコードを格納する可能性がある。プログラムコードを実行することにより、プロセッサ１３０１に、モバイルデバイス１３０の測位に関する様々なタスクを実施させることができる。そのようなタスクは、測位参照信号１５０の伝送のために割り当てられるリソース２２３を含むリソースマッピングに従って測位参照信号１５０を通信することを含む。モバイルデバイスは、異なるＢＳ１０１−１０３から測位参照信号１５０を受信し得、異なるＢＳ１０１−１０３は、異なるリソースマッピングを使用し得る。そのようなタスクは、サブフレーム２０２のシーケンス２１１において測位参照信号１５０を通信することをさらに含み得る。サブフレーム２０２のシーケンス２１１のタイミングは、タイミングスケジュールによって規定され得る。ここでも、異なるＢＳ１０１−１０３は、異なるタイミングスケジュールを使用し得る。そのようなタスクは、特定のシーケンスコードに従った測位参照信号１５０の復号化をさらに含み得る。インターフェース１３０２は、ワイヤレスチャネル１７０を介して、ＤＬ信号を受信し、ＵＬ信号を伝送するように構成され得る。
【００６１】
図８は、様々な例に従う方法のフローチャートである。図８に従う方法は、モバイルデバイス１３０の測位に関する様々な態様を例証する。
【００６２】
まず、ブロック５００１において、参照ＴＯＡが決定される。これのために、モバイルデバイス１３０は、参照ＢＳ１０１−１０３から１つまたは複数の測位参照信号１５０を受信し得る。次いで、モバイルデバイス１３０は、１つまたは複数の測位参照信号１５０を伝送する参照ＢＳ１０１−１０３と１つまたは複数の測位参照信号１５０を受信するモバイルデバイス１３０との間の飛行時間を決定し得る。これから、ＴＯＡを導き出すことができる。典型的には、参照ＴＯＡを決定することは、膨大な計算量を要するタスクである。
【００６３】
次に、ブロック５００２において、参照ＢＳ１０１−１０３とは異なる所与のＢＳ１０１−１０３についてＴＯＡが決定される。ここでも、モバイルデバイス１３０は、所与のＢＳ１０１−１０３から１つまたは複数の測位参照信号１５０を受信し得る。次いで、モバイルデバイス１３０は、１つまたは複数の測位参照信号１５０を伝送する所与のＢＳ１０１−１０３と１つまたは複数の測位参照信号１５０を受信するモバイルデバイスとの間の飛行時間を決定し得る。ここでも、ブロック５００２においてＴＯＡを決定することは、膨大な計算量を要するタスクである。
【００６４】
ブロック５００３において、測位参照信号１５０が、参照ＢＳ１０１−１０３とは異なる、ならびに先にブロック５００２において測位参照信号が受信されており、先にブロック５００２においてＴＯＡが決定されている任意のＢＳ１０１−１０３とは異なる、さらなるＢＳ１０１−１０３から利用可能であるかどうかがチェックされる。
【００６５】
ブロック５００３における上記チェックが、測位参照信号１５０がさらなるＢＳ１０１−１０３から利用可能であるということをもたらす場合、ブロック５００２が、上記さらなるＢＳ１０１−１０３に対して新たに再実行される。
【００６６】
ブロック５００２の複数反復によって、すべての利用可能なＢＳ１０１−１０３についてＴＯＡが決定されると、本方法は、ブロック５００４において開始する。ブロック５００４において、ＴＤＯＡが決定される。これのために、ブロック５００２において決定された参照ＴＯＡは、ブロック５００２において決定されたさらなるＢＳ１０１−１０３についてのＴＯＡの各１つと、組み合わされ得るか、または、一般的には、関係性にはめ込まれ得る。
【００６７】
典型的には、ブロック５００４におけるＴＤＯＡの決定は、モバイルデバイス１３０によって、例えば、プロセッサ１３０１によって実行されるタスクである。しかしながら、他の実装形態例においては、モバイルデバイス１３０が、ブロック５００１、５００２において決定されたＴＯＡを指示する測位情報をサーバ１２０に提供する可能性がある。このとき、ブロック５００４は、サーバ１２０によって、例えば、プロセッサ１２０１、またはロケーションサーバによって実行され得るタスクである。
【００６８】
最後に、ブロック５００５において、ロケーション情報が決定される。ロケーション情報は、モバイルデバイス１３０の位置を、例えば、緯度および経度などの絶対参照システム内で特定する。ブロック５００５におけるロケーション情報は、典型的には、ブロック５００４において決定されたＴＤＯＡの三角測量に基づいて決定される。
【００６９】
典型的には、ブロック５００５におけるロケーション情報の決定は、サーバ１２０によって、例えば、プロセッサ１２０１、またはロケーションサーバによって実行されるタスクである。しかしながら、他の実装形態例においては、モバイルデバイス１３０がローカルにロケーション情報を決定する可能性もある。
【００７０】
例えば、ブロック５００１から５００５は、測位参照信号１５０を含む各サブフレーム２０２に対して再実行され得る。他の例において、ブロック５００１から５００４は、複数のサブフレーム２０２を含むシーケンスの各繰り返し２５１、２５２に対して再実行され得、複数のサブフレーム２０２の各１つが、ＢＳ１０１−１０３のうちの１つまたは複数からの測位参照信号１５０を含む。それにより、ロケーション情報は最新であり得、また、例えばモバイルデバイス１３０の位置が追跡され得る。
【００７１】
図９Ａは、異なるＢＳ１０１−１０６によってワイヤレスチャネル１７０上で通信される測位参照信号のＴＯＡ１１１−１１６の決定に関する態様を例証する。詳細には、図９Ａは、ＴＯＡ１１１−１１６がモバイルデバイス１３０によって決定される例を例証する。
【００７２】
図９Ａでは、アンテナ１３０２Ａは、インターフェース１３０２と結合される。図９Ａの例において、インターフェース１３０２は、アナログフロントエンドを実装する。
【００７３】
インターフェース１３０２によってワイヤレスチャネル１７０を介して受信されるアナログ信号は、デジタル化され、周波数領域へと転換される。これのために、高速フーリエ変換（ＦＦＴ）が適用される。異なるリソース２２３に対応する記号は、次いで、個別に後処理され得る。例えば、図９Ａに例証されるように、異なるＢＳ１０１−１０６から受信される測位参照信号１５１−１５６に対して異なる処理パイプラインを実装することができる。図９Ａの例においては、測位参照信号１５１−１５６は、６個のＢＳ１０１−１０６から受信されるが、他の例においては、測位参照信号は、より小さい数または大きい数のＢＳから受信され得る。
【００７４】
パイプラインの各々は、チャネル推定器を含む。チャネル推定の後、各パイプラインは、逆ＦＦＴ演算を使用してそれぞれのチャネル推定を時間領域へと変換する。次いで、ＴＯＡ１１１−１１６が、各パイプライン内で決定される。
【００７５】
典型的には、チャネル推定および逆ＦＦＴは、膨大な計算量を要する。例えば、リソースを処理することは、逆ＦＦＴを実行することが必要とされ得る。加えて、典型的には、測位参照信号１５１−１５６は、メモリ１３０３内でバッファリングされる必要がある。典型的には、受信された各参照信号１５１−１５６は、浮動小数点数によって表される。これは、サブフレーム２０２あたりの各ＢＳ１０１−１０６に対して複数の測位参照信号１５１−１５６が存在し得ることから、メモリリソースの膨大な使用を結果としてもたらし得る。
【００７６】
図９Ｂは、異なるＢＳ１０１、１０２によってワイヤレスチャネル１７０上で通信される測位参照信号のＴＯＡ１１１、１１２の決定に関する態様を例証する。詳細には、図９Ｂは、ＴＯＡ１１１、１１２がモバイルデバイス１３０によって決定される例を例証する。図９Ｂは、全体的に図９Ａに対応する。
【００７７】
図９Ｂの例において、各パイプラインのチャネル推定器は、それぞれのＢＳ１０１、１０２から受信される複数の測位参照信号１５０の組み合わせを実装する。例えば、サブフレーム２０２のそれぞれのシーケンスにおいて受信される測位参照信号１５０の少なくともいくつかのある組み合わせに基づいて複数の測位参照信号１５０を指示する値が決定され得る。例えば、様々な測位参照信号１５０の記号は合計され得る。次いで、それぞれのＴＯＡ１１１、１１２が、その値に基づいて決定され得る。
【００７８】
図９Ｂの例において、ＵＥは、粗チャネル重みを得るために最小二乗（ＬＳ）チャネル推定を実施する。得られたチャネル重みは、より精密な結果を得るために、時間および／または周波数領域においてフィルタリングされ得る（図９Ｂ内のフィルタ）。
【００７９】
そのような技術は、メモリ要件を緩和する。これは、受信された各測位参照信号１５０を格納することが必要とされないためである。むしろ、組み合わされた値を格納することのみが必要とされる。
【００８０】
そのような技術は、信号対雑音比をさらに増大させる。これは、複数の測位参照信号１５０がＴＯＡを決定する前に組み合わされるためである。これは、カバレッジ強化を促進する。
【００８１】
図１０は、繰り返しのタイミングスケジュール２５０に関する態様を概略的に例証する。繰り返しのタイミングスケジュール２５０は、所与のＢＳ１０１−１０６からモバイルデバイス１３０へのＤＬ測位参照信号５５１、５５２の伝送に使用される。他のＢＳ１０１−１０６は、同じまたは異なる繰り返しのタイミングスケジュール２５０を使用し得る。図１０は、複数の繰り返しのシーケンス５０１、５０２に関する態様を例証し、複数の繰り返しのシーケンス５０１、５０２の各１つが複数のサブフレーム２０２を含む。
【００８２】
繰り返しのシーケンス５０１は、測位参照信号５５１を含むサブフレーム２０２を含む。繰り返しのシーケンス５０２は、測位参照信号５５２を含むサブフレーム２０２を含む。測位参照信号５５１、ならびに測位参照信号５５２は共に、１つの同じ所与のＢＳ１０１−１０６から生じる。
【００８３】
測位参照信号５５１は、上記所与のＢＳとモバイルデバイス１３０との間で通信される信号のＴＯＡの決定を容易にし、同様に、測位参照信号５５２は、上記所与のＢＳとモバイルデバイス１３０との間で通信される信号のＴＯＡの決定を容易にする。そのようなものとして、測位参照信号５５１ならびに測位参照信号５５２は共に、所与のＢＳについてのＴＯＡがそれぞれの測位参照信号５５１、５５２だけに基づいて決定され得るという意味で結論的である。ＴＯＡに基づいて、ＴＤＯＡが決定され得る。
【００８４】
一般には、モバイルデバイス１３０が測位参照信号５５１ならびに測位参照信号５５２の両方を受信するように構成される可能性がある。他の例においては、モバイルデバイス１３０が測位参照信号５５１または測位参照信号５５２のいずれかを受信するように構成される可能性もある。例えば、モバイルデバイス１３０は、繰り返しのシーケンス５０１と繰り返しのシーケンス５０２との間で選択するように構成され得る。次いで、上記選択に応じて、モバイルデバイス１３０は、シーケンス５０１内で測位参照信号５５１を選択的に受信し得るか、または代わりに、シーケンス５０２内で測位参照信号５５２を受信し得る。次いで、ＴＯＡが、測位参照信号５５１に基づいて、または測位参照信号５５２に基づいて、選択的に決定され得る。
【００８５】
測位参照信号５５１と測位参照信号５５２とを区別するために、ＴＤＭおよび／またはＦＤＭおよび／またはＣＤＭ技術が用いられ得る。ここでは、ＣＤＭ技術の場合、スクランブリングコードは、測位参照信号５５１、５５２を符号化するために使用されるシーケンスコードに重畳され得る。スクランブリングコードは、測位参照信号５５１または測位参照信号５５２に対して特異的であり得る。
【００８６】
測位参照信号５５２は、いくつかの例において、測位参照信号５５１を補う。測位参照信号５５２を使用して測位参照信号５５１を補うことによって、拡張されたカバレッジが提供され得る。特に、測位参照信号５５２によって測位参照信号５５１を補うことによって、追加データが提供され、この追加データに基づいてモバイルデバイス１３０の測位が実施され得る。これが、モバイルデバイス１３０の位置を決定する精度を増大させる。
【００８７】
特に、カバレッジ強化モード、例えば、ｅＭＴＣにおけるモードＢ動作で動作する、ＭＴＣモバイルデバイスの測位参照信号１５１、１５２を受信するためのカバレッジを提供することが可能である。これは、遠く離れているＢＳ１０１−１０６によって伝送される測位参照信号５５１、５５２に基づいてＭＴＣモバイルデバイスが追加のＴＯＡ測定を実施することを可能にすることによって達成される。それにより、利用可能な測位データが増加され、その結果として、測位精度が改善され得る。
【００８８】
１つの例において、モバイルデバイス１３０は、ワイヤレスチャネル１７０上で通信される信号の受信電力に基づいてシーケンス５０１、５０２間で選択するように構成され得る。例えば、モバイルデバイス１３０は、それぞれの測位参照信号５５１、５５２の受信電力に基づいて、シーケンス５０１、５０２間で選択するように構成され得る。１つの例において、測位参照信号５５１の受信電力がしきい値を下回る場合、モバイルデバイス１３０は、シーケンス５０２を選択し、したがって測位参照信号５５２を受信することができる。図１０に例証されるように、シーケンス５０２は、シーケンス５０１と比較した場合に、より多くの数のサブフレーム２０２を含む。したがって、いくつかの例において、繰り返し２５１、２５２あたりの測位参照信号５５１の数と比較した場合に、より多くの数の、繰り返し２５１、２５２あたりの測位参照信号５５２を受信することが可能である。これがカバレッジ強化を促進する。
【００８９】
代替的にまたは追加的に、モバイルデバイス１３０が、そのインターフェース１３０２の受信帯域幅に基づいて、サブフレーム２０２のシーケンス５０１とサブフレーム２０２のシーケンス５０２との間で選択するように構成され得る可能性がある。例えば、ＭＴＣ要件に従って、および／またはＮＢ−ＩＯＴ要件に従って実装されるモバイルデバイス１３０は、制限された複雑性のインターフェース１３０２を有する可能性がある。特に、インターフェース１３０２の受信された帯域幅は、レガシー３ＧＰＰ  ＬＴＥ  ＥＵＴＲＡＮと比較した場合に制限される可能性がある。例えば、３ＧＰＰ  ＮＢ−ＩｏＴに従って、システム帯域幅およびインターフェース１３０２の帯域幅は、単一のリソースブロック２１２に制限され得、したがって１８０ｋＨｚに相当する。例えば、３ＧＰＰ  ｅＭＴＣに従って、システム帯域幅およびインターフェース１３０２の帯域幅は、６つのリソースブロック２１２に制限され得、したがって１．４ＭＨｚに相当する。これが、インターフェース１３０２の受信帯域幅に合わせた帯域幅２１６を有する測位参照信号５５１、５５２の受信を促進する。
【００９０】
１つの例において、モバイルデバイス１３０は、受信された測位参照信号５５１、５５２の組み合わせを指示する値を決定し、次いで、該値に基づいて到着時間を決定するように構成され得る。次いで、該値に基づいてＴＯＡが決定され得る（図９Ｂ参照）。
【００９１】
受信された測位参照信号５５１、５５２を組み合わせる−例えば、合計する−そのような技術によって、モバイルデバイス１３０は、サブフレーム２０２のそれぞれのシーケンス５０１、５０２全体を通して、受信された測位参照信号５５１、５５２のエネルギーを蓄積することができる。それにより、受信された測位参照信号５５１、５５２の質−例えば、信号対雑音比に関して測定される−が増大され得る。それにより、カバレッジ強化が達成され得る。
【００９２】
カバレッジ強化およびＩＯＴアプリケーションとの相互運用を促進するために、シーケンス５０２のサブフレーム２０２内の測位参照信号５５２の時間−周波数密度は、シーケンス５０１のサブフレーム２０２内の測位参照信号５５１の時間−周波数密度よりも大きい可能性がある。特に、リソースブロック２１２あたりの測位参照信号５５２の時間−周波数密度は、リソースブロック２１２あたりの測位参照信号５５１の時間−周波数密度よりも大きい可能性がある。特に、リソースブロック２１２あたりの測位参照信号５５２の数は、リソースブロック２１２あたりの測位参照信号５５１の数よりも大きい可能性がある。
【００９３】
例えば、異なるＢＳは、測位参照信号の異なる時間−周波数密度を使用し得る。
【００９４】
概して、シーケンス５０１のサブフレーム２０２内の測位参照信号５５１の数は、シーケンス５０２の伝送フレーム２０２内の測位参照信号５５２の数とは異なり得る。サブフレーム２０２あたりの測位参照信号５５１、５５２の数は、測位参照信号５５１、５５２の時間−周波数密度、リソースブロック２１２あたりの測位参照信号５５１、５５２の数、および帯域幅２１６に依拠し得る。例えば、測位参照信号５５１が、測位参照信号５５２の伝送に使用される周波数帯域よりも大きい帯域幅２１６を有する周波数帯域において伝送される可能性があり得る。すなわち、異なる周波数帯域２１５が、測位参照信号５５１、５５２の伝送に使用され得る。例えば、測位参照信号５５２の伝送に使用される周波数帯域の帯域幅２１６は、低減された帯域幅ｅＭＴＣまたはＮＢ−ＩＯＴテクノロジーのニーズに合わせられ得る。
【００９５】
図１０に例証されるように、シーケンス５０２の繰り返し率２５５−２は、シーケンス５０１の繰り返し率２５５−１よりも小さい場合がある。そのようなシナリオは、シーケンス５０２のサブフレーム２０２内の測位参照信号５５２の伝送に起因するオーバーヘッドを制限することによってペイロードデータの伝送を促進する。特に、測位参照信号５５２の伝送のために保護サブフレーム２０２を使用するシナリオにおいて、繰り返し率２５５−１と比較した場合に繰り返し率２５５−２を下げることは、オーバーヘッドの観点で有利であり得る。同時に、そのような低い繰り返し率２５５−２は、ｅＭＴＣまたはＮＢ−ＩｏＴデバイスが、少なくともいくつかのシナリオにおいては、比較的低い可動性を有し得るという調査結果を所以とし得る。このとき、それぞれのモバイルデバイス１３０についてのロケーション情報が決定されるサンプリング周波数は、比較的低いことがあり、これが、ここでも、繰り返し率２５５−２の低減を促進する。
【００９６】
図１０の例において、シーケンス５０１、５０２は、繰り返し２５１について時間領域が部分的に重複している。他の例において、シーケンス５０１、５０２は時間領域が重複しない、すなわち、すべての繰り返し２５１、２５２について時間領域がオフセットされる可能性があり、それにより、測位参照信号５５１の伝送と測位参照信号５５２の伝送との間の干渉を回避するためにＴＤＭが実装され得る。ＴＤＭはまた、シーケンス特有のミュートパターンを有するシーケンス５０１、５０２のタイミングスケジュール２５０を重畳することによって実装され得る。ミュートパターンは、測位参照信号５５１、５５２が同時に伝送されないように配置され得る。それにより、測位参照信号５５１、５５２間の干渉が低減される。
【００９７】
図１０の例において、シーケンス５０１の長さは、シーケンス５０２の長さよりも短い。これが、繰り返し２５１、２５２あたりの十分な測位参照信号５５２の蓄積を促進する。これが、ここでも、カバレッジ強化を促進する。
【００９８】
図１１は、測位参照信号５５１の伝送に使用されるリソースマッピング３０１（図１１の左側）および測位参照信号５５２の伝送に使用されるリソースマッピング３０２（図１１の右側）を例証する。測位参照信号５５１、ならびに測位参照信号５５２は、所与のＢＳ１０１−１０６によって伝送され、モバイルデバイス１３０によって受信される。
【００９９】
図１１では、リソースマッピング３０１、３０２が、所与のリソースブロック２２３について例証される。しかしながら、リソースマッピング３０１および／またはリソースマッピング３０２は、さらなるリソースブロックもカバーし得る（簡略性のために図１１では例証されない）。
【０１００】
図１１に例証されるように、測位参照信号５５１、５５２の伝送にそれぞれ使用されるリソースマッピング３０１、３０２は、互いと部分的に異なる。故に、測位参照信号５５１が、測位参照信号５５２と比較した場合に、所与のリソースブロック２１２内の少なくとも部分的に異なるリソース２２３に割り当てられる可能性がある。ＴＤＭおよびＦＤＭが促進される。測位参照信号５５１、５５２の伝送間の干渉が軽減される。
【０１０１】
図１１の例において、測位参照信号５５２のリソースマッピング３０２は、測位参照信号５５１のリソースマッピング３０１と比較した場合に、リソースブロック２１２における測位参照信号５５２のより高い時間−周波数密度を実装する。特に、図１１の例において、測位参照信号５５２の時間−周波数密度は、測位参照信号５５１の時間−周波数密度の２倍の大きさである。
【０１０２】
さらに、同時に伝送された測位参照信号５５１、５５２間の周波数オフセット２８０は、測位参照信号５５１のリソースマッピング３０１と比較した場合に測位参照信号５５２のリソースマッピング３０２については減少される。詳細には、測位参照信号５５１の伝送のために割り当てられるリソースマッピング３０１の各リソース２２３について、測位参照信号５５２のリソースマッピング３０２は、それぞれの測位参照信号５５２の伝送に追加で割り当てられる追加のリソース２２３を含む。２つの測位参照信号５５２は、リソースマッピング３０２内で互いに直接隣接するリソース２２３に割り当てられる。例えば、リソースマッピング３０１、３０２は、静的であり得る。例えば、リソースブロック２１２の境界に対するラップアラウンドが適用され得る。例えば、図１１において、追加の測位参照信号５５２は、測位参照信号５５に周波数が直接隣接して整列される。第５の描写されたＯＦＤＭ記号および第１のサブキャリアにおける測位参照信号５５１については、利用可能なそれぞれのリソース２２３が存在しない。追加の測位参照信号５５２に適用され得るリソースブロック２１２の境界に対するラップアラウンドは、第５のＯＦＤＭ記号および第１２のサブキャリアのリソース要素上で伝送される。
【０１０３】
図１１のシナリオにおいて、リソースブロック２１２あたりおよび／またはサブフレーム２０２あたりの測位参照信号５５１、５５２の増大された数に起因して、同じリソースブロック２１２において測位参照信号を伝送するＢＳ１０１−１０６の数は制限される可能性がある。例えば、参照実装形態によると、６個のＢＳ１０１−１０６が、同じリソースブロック２１２において測位参照信号を伝送し得る（図９Ａ参照）。例えば、図１１の例によると、リソースブロック２１２において測位参照信号を伝送するＢＳの数は、３つに制限され得る。
【０１０４】
同じリソースブロックにおいて測位参照信号を伝送するＢＳのそのような低減された数が、測位参照信号５５１、５５２を伝送する所与のＢＳ１０１−１０６へのリソースマッピング３０１、３０２の一意的な割り当てを促進する。故に、他のＢＳ１０１−１０６は、リソースブロック２１２の間、測位参照信号の伝送について異なるリソースマッピングを使用し得る。これがセル間干渉を軽減する。
【０１０５】
１つの例において、測位参照信号５５１の伝送のために割り当てられるリソースマッピング３０１のリソース２２３は、シーケンス５０１の繰り返し２５１、２５２の関数として、例えば、周期的に、変化する可能性がある。代替的にまたは追加的に、測位参照信号５５２の伝送のために割り当てられるリソースマッピング３０２のリソース２２３は、シーケンス５０２の繰り返し２５１、２５２の関数として、例えば、周期的に、変化する可能性がある。それにより、追加の冗長性を達成し、干渉を軽減することが可能であり得る。
【０１０６】
図１１の例において、いくつかのリソース２２３は、測位参照信号５５１の伝送、ならびに測位参照信号５５２の伝送の両方に割り当てられる。干渉を回避するために、ＣＤＭが用いられ得る。このとき、測位参照信号５５１は測位参照信号５５２とは異なる。他の例においては、共有リソースの測位参照信号５５１が、測位参照信号５５２を実装する可能性もある。このとき、測位参照信号５５１は、測位参照信号５５２と異ならない。
【０１０７】
図１２は、繰り返しのタイミングスケジュール２５０に関する態様を概略的に例証する。繰り返しのタイミングスケジュール２５０は、所与のＢＳ１０１−１０６からモバイルデバイス１３０へのＤＬ測位参照信号５５１、５５２の伝送に使用される。他のＢＳ１０１−１０６は、同じまたは異なる繰り返しのタイミングスケジュール２５０を使用し得る。図１２は、複数の繰り返しのシーケンス５０１、５０２に関する態様を例証し、複数の繰り返しのシーケンス５０１、５０２の各１つが複数のサブフレーム２０２を含む。図１２は、全体的に図１０に対応する。しかしながら、図１２の例において、シーケンス５０１、５０２は、各繰り返し２５１、２５２について重複している。そのようなものとして、シーケンス５０１のサブフレーム２０２は、シーケンス５０２のサブフレーム２０２のサブセットを形成する。
【０１０８】
測位参照信号５５１が測位参照信号５５２と異なる、または異ならない可能性がある。１つの例において、測位参照信号１５１が、測位参照信号１５２と同じシーケンスコードに基づいて符号化される可能性がある。シーケンスコードは、それぞれの測位参照信号５５１、５５２の伝送に使用されるリソース２２３に対する依存性を有し得る。１つの例において、リソースマッピング３０１が、測位参照信号５５２の伝送についてリソースマッピング３０２によっても規定される測位参照信号５５１の伝送についてリソース２２３を規定する可能性がある（図１１参照）。このとき、シーケンスコードが共有される場合、それぞれの測位参照信号５５１、５５２は同じである。そのようなシナリオにおいて、測位参照信号５５１は、測位参照信号５５２のサブセットを形成し得る。ここでは、測位参照信号５５１、５５２は、シーケンス５０１、５０２両方のシーケンス５０１、５０２の重複領域内で再使用され得る。これがオーバーヘッドを低減した。
【０１０９】
例えば、シーケンス５０１を選択するモバイルデバイス１３０は、シーケンス５０１の所与の繰り返し２５１、２５２の最後に測位参照信号５５１を受信することを止める。シーケンス５０２を選択するモバイルデバイス１３０は、シーケンス５０１の所与の繰り返し２５１、２５２の最後を超えても、シーケンス５０２の最後まで、測位参照信号５５２を受信し続け、さらなる測位参照信号５５２が蓄積され得る。
【０１１０】
図１３は、シーケンス５０１、５０２と関連付けられた測位参照信号５５１、５５２のリソースマッピング３０１、３０２に関する態様を例証する。特に、リソースマッピング３０１、３０２は、図１２の例に従うタイミングスケジュール２５０に適用され得る。
【０１１１】
図１３の例において、測位参照信号５５１は、所与のサブフレーム２０２内に測位参照信号５５２のサブセットを形成する。測位参照信号５５１の伝送のために割り当てられるリソース２２３は、測位参照信号５５２の伝送にも同様に再使用される。測位参照信号５５２の伝送のみに割り当てられる追加リソース２２３が存在する。
【０１１２】
図１４は、複数のＢＳ１０１−１０３による測位参照信号５５１、５５２の伝送のためのリソース割り当てに関する態様を例証する。図１４の例において、ＢＳ１０１−１０３の各１つによる測位参照信号５５２の伝送に使用される周波数帯域幅２１６は、ワイヤレスチャネルのシステム帯域幅４５０よりも小さい。故に、測位参照信号は、ワイヤレスチャネルの帯域幅４５０内のすべての利用可能なリソースブロック２１２のサブセットを占有する。いくつかの例においては、測位参照信号が、帯域幅２１６を適切に制約することによってより小さい帯域幅で動作するインターフェース１３０２を有するＭＴＣまたはＮＢ−ＩｏＴモバイルデバイス１３０の測位のために用いられることが理由で、オーバーヘッドは低減され得る。
【０１１３】
図１４は、複数のＢＳ１０１−１０３による測位参照信号５５１、５５２の伝送に関する例を例証する。様々な例は、すべて所与のＢＳから生じる測位参照信号５５１、５５２に関して説明されている。そのような概念は、様々なシナリオにおいて、各々が繰り返しのタイミングスケジュール２５０の少なくとも部分的に異なるシーケンス５０１、５０２内で測位参照信号５５１、５５２を伝送する複数のＢＳ１０１−１０３に適用され得る。異なるＢＳ１０１−１０３は、少なくとも部分的に、異なるタイミングスケジュール２５０、および／または、少なくとも部分的に、リソースマッピング３０１、３０２を使用し得る。
簡略性の目的のため、以後、様々な技術は、測位参照信号５５２に関して例示的に説明される。しかしながら、そのような技術は、代替的にまたは追加的に、測位参照信号５５１に容易に適用され得る。
【０１１４】
セル間干渉を回避するための様々なシナリオが考えられる。例えば、測位参照信号５５２のリソースマッピング３０２は、偶数のセルＩＤを有するＢＳ１０１−１０３がリソース２２３の特定のセットを占有し、奇数のセルＩＤを有するＢＳが直交リソース２２３のセットを占有するように配置される可能性がある。ここでは、１つの同じリソースブロック２１２が、異なるＢＳ１０１−１０３間で共有され得る（図１４では図示されない）。
【０１１５】
さらなる例において、奇数セルＩＤを有するＢＳ１０１−１０３とは異なるサブフレーム２０２を占有する偶数セルＩＤを有するＢＳ１０１−１０３のリソースマッピング３０２を有することによって直交性が達成され得る（図１４では図示されない）。例えば、ミュートパターンは、異なるＢＳ１０１−１０２と関連付けられたシーケンス５０２の繰り返し２５１、２５２のタイミングスケジュール２５０上で重畳され得る。ミュートパターンは、このとき、ＢＳ特有であり得、すなわち、各ＢＳ１０１−１０３が、それぞれのＢＳ１０１−１０３と一意的に関連付けられるミュートパターンを有し得る。これは、干渉を回避するＴＤＭ手法に対応する。
【０１１６】
図１４に例証されるように、さらなる例において、異なるＢＳ１０１−１０３による測位参照信号５５２の伝送に使用される周波数帯域２１６は、非重複であり得る。例えば、測位参照信号５５２の伝送のために所与のＢＳ１０１−１０３によって使用されるリソースブロック２１２は、ＢＳ１０１−１０３と関連付けられたセルＩＤの関数であり得る。モバイルデバイス１３０は、次いで、異なるＢＳ１０１−１０３と関連付けられたリソースブロック２１２を含む異なる周波数帯域の間で調整することができる。
【０１１７】
一般に、そのような手法は、奇数および偶数セルアイデンティティを超えて拡張され得る。１つの実装形態例において、ｃｅｌｌ＿ＩＤ  ｍｏｄ  ｘ＝０は、リソースの１つのセットを占有し、ｃｅｌｌ＿ＩＤ  ｍｏｄ  Ｘ＝１は、リソースの別のセットを占有し、ここで、ｃｅｌｌ＿ＩＤは、所与のＢＳのセルアイデンティティである。
【０１１８】
そのような概念は、測位参照信号５５２の時間−周波数密度が比較的高い場合に役立ち得、その結果として、例えば、測位参照信号５５２は、カバレッジを向上するために、所与のリソースブロック２１２のすべてのリソースまたはすべてのリソース２２３の大部分を占有する。
【０１１９】
図１４の例において、周波数ホッピングが、様々なＢＳ１０１−１０３と関連付けられた周波数帯域に対して用いられ得る。例えば、所与のＢＳ１０１−１０３と関連付けられた特定のリソースブロック２１２は、測位参照信号５５２を含むサブフレーム２０２のそれぞれのシーケンス５０２の繰り返し２５１、２５２の関数として変更され得る。周波数ホップパターンは構成可能であり得る。そのような技術は、表題「Ｆｒｅｑｕｅｎｃｙ  Ｈｏｐ  Ｂａｓｅｄ  Ｐｏｓｉｔｉｏｎｉｎｇ  Ｍｅａｓｕｒｅｍｅｎｔ」の国際特許出願ＰＣＴ／ＥＰ２０１６／０６７８１２に説明されており、そのそれぞれの開示は、相互参照によりその全体が本明細書に組み込まれる。
【０１２０】
周波数ホップパターンは、様々なＢＳ１０１−１０３と関連付けられたリソースブロック２１２の巡回シフトを実施し得る。これは、図１４内の曲線矢印によって示される。周波数ホッピングは、周波数に対する回復力を提供−フェージングを選択−し得る。これは、到着時間の測定がより幅広い効果的な帯域幅にわたって実施されることを可能にすることによって、モバイルデバイス１３０の測位の精度を改善することに役立ち得る。
【０１２１】
上に説明されるようにＦＤＭおよび／またはＴＤＭに基づく測位参照信号５５２を伝送する複数のＢＳ１０１−１０３間のセル間干渉を回避するという概念の他に、代替的にまたは追加的に、ＣＤＭに基づいてセル間干渉を回避するという概念が用いられ得る。例えば、スクランブリングコードは、異なるＢＳ１０１−１０３によって伝送される測位参照信号５５２を決定するためのシーケンスコードにおいて考慮され得る。
【０１２２】
図１５は、測位参照信号５５１、５５２の伝送に用いられるリソースマッピング３０１、３０２に関する態様を例証する。測位参照信号５５１、ならびに測位参照信号５５２は、所与のＢＳ１０１−１０６によって伝送され、モバイルデバイス１３０によって受信される。
【０１２３】
また、図１５のシナリオにおいて、測位参照信号５５２のリソースマッピング３０２は、ワイヤレスチャネル１７０のシステム帯域幅４５０と比較した場合に同等に小さい帯域幅２１６−２を占有する。測位参照信号５５１のリソースマッピング３０１の帯域幅２１６−１は、全システム帯域幅４５０を占有する。したがって、帯域幅２１６−１は、帯域幅２１６−２よりも大きい。
【０１２４】
図１５に例証されるように、測位参照信号５５２の伝送に使用される周波数帯域は、測位参照信号５５１の伝送に使用される周波数帯域内の中心にある。すなわち、測位参照信号５５２の伝送に使用される周波数帯域の中央周波数は、測位参照信号５５１の伝送に使用される周波数帯域の中央周波数に対応する。
【０１２５】
例えば、１０ＭＨｚに相当するシステム帯域幅４５０では、帯域幅２１６−１は１０ＭＨｚに等しい一方で、帯域幅２１６−２は１．４ＭＨｚに制約される可能性がある。ここでは、モバイルデバイス１３０が、測位目的のために、測位参照信号５５１ならびに測位参照信号５５２の両方を使用することを可能にするために、典型的には、測位参照信号５５１の開始リソースブロック２１２は、モバイルデバイス１３０にシグナリングされる。開始リソースブロック２１２は、測位参照信号５５１に適用される信号シーケンスを決定するために必要とされる。例えば、端末は、測位参照信号５５１の開始リソースブロック２１２の測位参照信号５５２の第１のリソースブロック２１２に対するオフセット４５５をシグナリングされる可能性がある。
【０１２６】
所与のリソースブロック２１２において測位参照信号５５１に使用されるシーケンスコードは、測位参照信号５５１が適用される特定のリソースブロック２１２の関数であり得る。代替的にまたは追加的に、所与の測位参照信号５５１に使用されるシーケンスコードは、測位参照信号５５１の開始リソースブロック２１２  ＰＲＢ＿ｙと所与の測位参照信号５５１のリソースブロック２１２  ＰＲＢ＿ｘとの間の差の関数であり得、すなわち、リソースブロック２１２  ＰＲＢ＿ｘにおける所与の測位参照信号５５１のコードは、ｙ−ｘの関数であり得る。
【０１２７】
同様の検討事項が、測位参照信号５５２およびそれぞれのシーケンスコードにも当てはまり得る。
【０１２８】
図１６は、異なるＢＳ１０１−１０４によって伝送される測位参照信号５５２の受信間のＴＤＯＡ８５０に関する態様を例証する。図１６では、各ＢＳ１０１−１０４について複数のリソース２２３が例証され、各リソース２２３は、サイクリックプレフィックス８０１およびＯＦＤＭ記号８０２を含む。
【０１２９】
図１６の例において、ＢＳ１０１−１０４による伝送は、時間同期される。すなわち、新しいリソース２２３の始まりは、ＢＳ１０１−１０４間で時間同期される。ＢＳ１０１−１０４はすべて、モバイルデバイス１３０から異なる距離を有する。故に、それぞれの測位参照信号５５２のＴＯＡ１１１−１１４は、異なるＢＳ１０１−１０４ではすべて異なる。
【０１３０】
図１６はまた、ＴＯＡ１１１、１１３間のＴＤＯＡ８５０を例証する。レガシーシナリオにおいて、典型的には、測位参照信号が端末１３０に対して大きい距離に位置するＢＳ１０１−１０４から受信されないことが理由で、ＴＤＯＡ８５０が制限される。しかしながら、上に説明されているように、本明細書に説明される様々な例となる技術に従って、カバレッジ強化を実施することが可能である。これが理由で、ＢＳ１０４から測位参照信号５５２を受信することが可能である。モバイルデバイス１３０とＢＳ１０４との間の距離が大きいため、それぞれのＴＤＯＡはサイクリックプレフィックス８０１の継続時間よりも長い。
【０１３１】
ＴＤＯＡがサイクリックプレフィックス８０１の継続時間よりも長い場合があることから、ＴＤＯＡの決定における不明確さが結果として生じ得る。故に、測位参照信号５５２がそれぞれのサブフレーム２０２を指示する可能性がある。これは、それぞれのサブフレーム２０２のシーケンス番号に対する依存性を示すシーケンスコードを使用することによって行われ得る。例えば、それぞれの伝送フレーム２０２のシーケンス番号に対するシーケンスコードのそのような依存性は、スクランブリングコードを使用して用いられ得る。例えば、測位参照信号５５２は、それぞれの伝送フレーム２０２の境界、例えば、次のサブフレーム２０２に隣接する最後のＯＦＤＭ記号を指示し得る。受信された測位参照信号５５２を所与のサブフレーム２０２と関連付けることができることによって、不明確さを解決することが可能である。
【０１３２】
上に測位参照信号５５２に関して説明されるようなそのような技術は、代替的にまたは追加的に、測位参照信号５５１に適用され得る。
【０１３３】
図１７は、測位参照信号５５２の伝送のために割り当てられるリソース２２３を含むリソースマッピング３０２に関する態様を例証する。図１７の例において、サブフレーム２０２は、測位参照信号５５２を含む。しかしながら、測位参照信号５５２は、サブフレーム２０２の最後の３つのリソース／記号２２３を占有しない。図１７の例における最後の３つのリソース／記号２２３は、安全マージンを実装する。特に、図１７、下部分に例証されるように、伝送と受信との間のＴＯＡ１１１は、サイクリックプレフィックス８０１よりも長い場合がある。その後のサブフレーム２０２（図１７、上部分、右側に例証される）の崩壊を回避するために、安全マージン１７００が用いられ得る。図１７の例では、安全マージン１７００は３つのＯＦＤＭ記号２２３の持続時間を有するが、他の例において、安全マージン１７００は、より長いまたはより短い持続時間を有し得る。
【０１３４】
測位参照信号５５２に関して図１６および図１７に関して上に説明されるような様々な例は、代替的にまたは追加的に、測位参照信号５５１に容易に適用され得る。
【０１３５】
図１８は、様々な例に従う方法のフローチャートである。ブロック６００１において、第１の測位参照信号が、例えば、基地局によって、伝送される。第１の測位参照信号は、繰り返しのタイミングスケジュールに従って伝送される。タイミングスケジュールは、伝送フレームの繰り返しの第１のシーケンスを規定する。第１のシーケンスの伝送フレームは、第１の測位参照信号を含む。
【０１３６】
ブロック６００２において、第２の測位参照信号が、例えば、ブロック６００１において第１の測位参照信号を伝送する同じ基地局によって伝送される。第２の測位参照信号は、さらなる繰り返しのタイミングスケジュールに従って伝送される。さらなる繰り返しのタイミングスケジュールは、伝送フレームの繰り返しの第２のシーケンスを規定する。第２のシーケンスの伝送フレームは、第２の測位参照信号を含む。
【０１３７】
次いで、受信された第１の測位参照信号に基づいて、および／または受信された第２の測位参照信号に基づいてＴＯＡを決定することが可能である。
【０１３８】
図１９は、様々な例に従う方法のフローチャートである。ブロック６０１１において、伝送フレームの繰り返しの第１のシーケンスと伝送フレームの繰り返しの第２のシーケンスとの間の選択が行われる。一般には、選択は、伝送フレームの３つ以上のシーケンス間で行われ得る。
【０１３９】
ブロック６０１１において第１のシーケンスが選択される場合、方法は、ブロック６０１２において開始する。ブロック６０１２において、第１の測位参照信号が第１のシーケンス内で受信される。次いで、ブロック６０１３において、ＴＯＡが、ブロック６０１２において受信された第１の測位参照信号に基づいて決定され得る。
【０１４０】
ブロック６０１１において第２のシーケンスが選択される場合、方法は、ブロック６０１４において開始する。ブロック６０１４において、第２の測位参照信号が、第２のシーケンス内で受信される。次いで、ブロック６０１５において、ＴＯＡが、ブロック６０１４において受信された第２の測位参照信号に基づいて決定され得る。
【０１４１】
図２０は、様々な例に従う方法のフローチャートである。ブロック６０２１において、少なくとも１つの制御メッセージが基地局に通信される。代替的にまたは追加的に、少なくとも１つの制御メッセージが、１つまたは複数のモバイルデバイスに通信され得る。制御メッセージは、伝送フレームの繰り返しの第１のシーケンスおよび伝送フレームの繰り返しの第２のシーケンスを指示する。基地局は、第１のシーケンス内で第１の測位参照信号、ならびに第２の測位参照信号および第２のシーケンスを伝送することになる。
【０１４２】
本発明は、特定の好ましい実施形態に関して示され、説明されているが、等価物および修正形態が、本明細書を読み理解することにより当業者には想起されるものとする。本発明は、すべてのそのような等価物および修正形態を含み、添付の特許請求の範囲によってのみ制限される。
【図１】
2019531468.tif 000003
【図２】
2019531468.tif 000004
【図３】
2019531468.tif 000005
【図４】
2019531468.tif 000006
【図５】
2019531468.tif 000007
【図６】
2019531468.tif 000008
【図７】
2019531468.tif 000009
【図８】
2019531468.tif 000010
【図９】
2019531468.tif 000011
【図１０】
2019531468.tif 000012
【図１１】
2019531468.tif 000013
【図１２】
2019531468.tif 000014
【図１３】
2019531468.tif 000015
【図１４】
2019531468.tif 000016
【図１５】
2019531468.tif 000017
【図１６】
2019531468.tif 000018
【図１７】
2019531468.tif 000019
【図１８】
2019531468.tif 000020
【図１９】
2019531468.tif 000021
【図２０】
2019531468.tif 000022
【国際調査報告】
2019531468.tif 000023
2019531468.tif 000024
2019531468.tif 000025